(57)【要約】【課題】携帯電話機等に搭載されるカメラユニットの撮像素子を高画素化しつつ、装置全体の小型化を図る。【解決手段】進入した被写体光の進行方向を変更する第１の変更要素５２、変倍レンズ光学系５３，５４、被写体を撮像する撮像素子６０備え、携帯電話機に搭載されるカメラユニットにおいて、第１の変更要素５２及び変倍レンズ光学系５３，５４の下流側に、被写体光の進行方向を変更する第２の変更要素５９を設け、この第２の変更要素５９の下流側に撮像素子６０を配置した。これにより、第１の変更要素を通過した被写体光は第２の変更要素により進行方向が再び変更された後に撮像素子に入射するため、装置の小径化あるいは薄型化を図りつつ、大型の撮像素子を採用できる。【選択図】  図４
2004247887.tif 000002
【特許請求の範囲】
【請求項１】
レンズ光学系と、進入した被写体光の進行方向を変更する第１の変更要素と、被写体を撮像する撮像素子と備えたカメラユニットであって、
前記第１の変更要素の下流側には、被写体光の進行方向を変更する第２の変更要素を有し、
前記撮像素子は、前記第２の変更要素の下流側に配置されている、
ことを特徴とするカメラユニット。
【請求項２】
前記レンズ光学系は、前記第１の変更要素と前記第２の変更要素との間に配置されて撮影倍率を可変にする変倍レンズ光学系を含む、
ことを特徴とする請求項１記載のカメラユニット。
【請求項３】
前記第１の変更要素及び前記第２の変更要素は、被写体光を略直角な方向に変更するプリズム又は反射ミラーである、
ことを特徴とする請求項１又は２に記載のカメラユニット。
【請求項４】
操作釦が配置された本体と、表示部が配置された蓋体と、前記蓋体を前記本体に対して開閉自在に連結する連結部と、被写体を撮影するためのカメラユニットと、を備えた携帯情報端末装置であって、
前記カメラユニットは、レンズ光学系と、進入した被写体光の進行方向を変更する第１の変更要素と、前記第１の変更要素の下流側に配置されて被写体光の進行方向を変更する第２の変更要素と、前記第２の変更要素の下流側に配置されて被写体を撮像する撮像素子と、を含む、
ことを特徴とする携帯情報端末装置。
【請求項５】
前記レンズ光学系は、前記第１の変更要素と前記第２の変更要素との間に配置されて撮影倍率を可変にする変倍レンズ光学系を含む、
ことを特徴とする請求項４記載の携帯情報端末装置。
【請求項６】
前記連結部は、一対のヒンジ部と、前記一対のヒンジ部の間において、前記本体又は蓋体の一部を画定するように形成された筒状部と、を含み、
前記カメラユニットは、前記筒状部の領域に配置されている、
ことを特徴とする請求項４又は５に記載の携帯情報端末装置。
【請求項７】
前記撮像素子は、前記本体又は蓋体内に収容されるように配置されている、
ことを特徴とする請求項４ないし６いずれかに記載の携帯情報端末装置。
【請求項８】
前記第１の変更要素は、進入した被写体光を前記一対のヒンジ部の軸線と略平行な方向に変更させるプリズム又は反射ミラーであり、
前記第２の変更要素は、前記変倍レンズ光学系を通過した被写体光を前記一対のヒンジ部の軸線と略直角な方向に変更させるプリズム又は反射ミラーである、ことを特徴とする請求項６又は７に記載の携帯情報端末装置。
【発明の詳細な説明】
【０００１】
【発明の属する技術分野】
本発明は、ＣＣＤ等の撮像素子を含むカメラユニット及びこのカメラユニットを備えた携帯電話機あるいは携帯型パーソナルコンピュータ等の携帯情報端末装置に関する。
【０００２】
【従来の技術】
近年において、画像信号を送受信できる携帯電話機あるいは携帯型パーソナルコンピュータ等の携帯情報端末装置が開発されている。例えば、カメラユニットを搭載した携帯電話機としては、図１０に示すように、種々の操作を行う操作釦が配置された本体１、種々の情報を表示する表示部（液晶モニター）が配置された蓋体２、蓋体２を本体１に対して開閉自在に連結するヒンジ部３、ヒンジ部３の内部空間に配置されて被写体光の進行方向を変更する反射ミラー４，レンズ光学系５，ＣＣＤ（電荷結合素子）６を含むカメラユニット等を備えたものが知られている（例えば、特許文献１参照）。
【０００３】
また、カメラユニットを搭載した他の携帯電話機としては、図１１に示すように、操作釦及び表示部（液晶モニター）が配置された本体１´、蓋体を本体１´に開閉自在に連結するヒンジ部、本体１´の内部空間に配置されて被写体光の進行方向を変更するプリズム４´及びＣＣＤ（電荷結合素子）６´を含むカメラユニット等を備えたものが知られている（例えば、特許文献２参照）。
【０００４】
【特許文献１】
特開２００２−２９０５２３号公報
【特許文献２】
特開２００１−２２３９２４号公報
【０００５】
【発明が解決しようとする課題】
ところで、上記従来の携帯情報端末装置（携帯電話機）においては、撮影窓から進入した被写体光は、その進行方向が略直角に変更された後、そのままＣＣＤ６，６´の撮像面に進入するようになっている。すなわち、ＣＣＤ６，６´の撮像面がヒンジ部３の軸線方向に向かうように又は本体１´の側面に対向するように配置される構成となっている。
【０００６】
したがって、カメラユニットがヒンジ部３の内部空間に配置される構成では、一般的なヒンジ部３の内部空間は非常に狭いため、ＣＣＤ６を保持するパッケージ及び付属品等の収容をも考慮すると、ＣＣＤ６としては画素数が少ない小さなものしか採用できず、ＣＣＤの大型化（高画素化）が困難であった。一方、大きいＣＣＤを配置できるようにするためには、ヒンジ部３の外径Ｄを大きくする必要があり、装置の大型化、重量化を招くことになる。
【０００７】
また、カメラユニットが本体１´の内部空間に配置されＣＣＤ６´が本体１´の側面と対向する構成では、本体１´の厚さ寸法により、収容されるＣＣＤ６´の大きさが制約される。したがって、高画素の（大きい）ＣＣＤを配置できるようにするためには、本体１´の厚みＤ´を厚くする必要があり、前述同様に装置の大型化、重量化を招くことになる。
【０００８】
本発明は、上記の事情に鑑みて成されたものであり、その目的とするところは、ＣＣＤ等の撮像素子の高画素化（大型化）を図りつつ、全体として小型化、軽量化を図ることのできるカメラユニット及びカメラユニットを搭載した携帯電話機あるいは携帯型パーソナルコンピュータ等の携帯情報端末装置を提供することにある。
【０００９】
【課題を解決するための手段】
本発明のカメラユニットは、レンズ光学系と、進入した被写体光の進行方向を変更する第１の変更要素と、被写体を撮像する撮像素子と備えたカメラユニットであって、上記第１の変更要素の下流側には、被写体光の進行方向を変更する第２の変更要素を有し、上記撮像素子は、第２の変更要素の下流側に配置されている、ことを特徴としている。
この構成によれば、被写体光は、レンズ光学系（例えば、撮影窓としてのレンズ、あるいは、第１の変更要素の下流側にあるレンズ等）を通して撮像素子に至るまでに、第１の変更要素により進行方向が変更され、続いて、第２の変更要素により再び進行方向が変更される。
すなわち、第１の変更要素を通過した被写体光の進行方向に撮像素子を対面させて配置するのではなく、第１の変更要素を通過した被写体光の進行方向を第２の変更要素により再び変更した後に撮像素子に入射させるように撮像素子を対面させるため、カメラユニットの筐体を形成する部分の小径化、さらには全体の小型化を図りつつ、大型（高画素）の撮像素子を採用することができる。
【００１０】
上記構成のカメラユニットにおいて、レンズ光学系は、第１の変更要素と第２の変更要素との間に配置されて撮影倍率を可変にする変倍レンズ光学系を含む、構成を採用できる。
この構成によれば、例えば撮影窓（レンズ光学系の一部としてのレンズを含んでもよい）から進入した被写体光は、第１の変更要素により進行方向が変更され、続いて、変倍レンズ光学系を通過し、その後、第２の変更要素により再び進行方向が変更されて、撮像素子に入射する。したがって、特に、変倍レンズ光学系を採用するカメラユニットにおいて、第１の変更要素に進入する被写体光の進入方向におけるカメラユニット（筐体）の外径寸法あるいは厚み寸法を小さくしつつ、大型（高画素）の撮像素子を採用することができる。
【００１１】
上記構成のカメラユニットにおいて、第１の変更要素及び第２の変更要素は、被写体光を略直角な方向に変更するプリズム又は反射ミラーである、構成を採用できる。
この構成によれば、カメラユニットの構造を簡略化でき、又、低コスト化できる。
【００１２】
また、本発明の携帯情報端末装置は、操作釦が配置された本体と、表示部が配置された蓋体と、蓋体を本体に対して開閉自在に連結する連結部と、被写体を撮影するためのカメラユニットと、を備えた携帯情報端末装置であって、上記カメラユニットは、レンズ光学系と、進入した被写体光の進行方向を変更する第１の変更要素と、第１の変更要素の下流側に配置されて被写体光の進行方向を変更する第２の変更要素と、第２の変更要素の下流側に配置されて被写体を撮像する撮像素子と、を含む、ことを特徴としている。
この構成によれば、被写体の撮影を行う場合、被写体光は、レンズ光学系（例えば、撮影窓としてのレンズ、あるいは、第１の変更要素の下流側にあるレンズ等）を通して撮像素子に至るまでに、第１の変更要素により進行方向が変更され、続いて、第２の変更要素により再び進行方向が変更された後に撮像素子に入射する。すなわち、第１の変更要素を通過した被写体光の進行方向に撮像素子を対面させて配置するのではなく、第１の変更要素を通過した被写体光の進行方向を第２の変更要素により再び変更した後に撮像素子に入射させるように撮像素子を対面させるものである。
したがって、撮像素子を配置する場所（例えば、連結部を画定する空間と本体又は蓋体の内部空間との連通領域、あるいは、本体又は蓋体の内部空間）の自由度が高まる。これにより、カメラユニットを配置する空間を小径化あるいは薄型化して装置の小型化を図りつつ、大型（高画素）の撮像素子を採用することができる。
【００１３】
上記構成の携帯情報端末装置において、レンズ光学系は、第１の変更要素と第２の変更要素との間に配置されて撮影倍率を可変にする変倍レンズ光学系を含む、構成を採用できる。
この構成によれば、例えば撮影窓（レンズ光学系の一部としてのレンズを含んでもよい）から進入した被写体光は、第１の変更要素により進行方向が変更され、続いて、変倍レンズ光学系を通過し、その後、第２の変更要素により再び進行方向が変更されて、撮像素子に入射する。したがって、特に、変倍レンズ光学系をもつカメラユニットを搭載する携帯情報端末装置において、第１の変更要素に進入する被写体光の進入方向における外径寸法あるいは厚み寸法を小さくしつつ、大型（高画素）の撮像素子を採用することができる。
【００１４】
上記構成の携帯情報端末装置において、連結部は、一対のヒンジ部と、一対のヒンジ部の間において本体又は蓋体の一部を画定するように形成された筒状部とを含み、カメラユニットは筒状部の領域に配置されている、構成を採用できる。
この構成によれば、ヒンジ部の内部空間あるいはヒンジ部の一側面領域ではなく、一対のヒンジ部の間に位置する本体又は蓋体の一部を画定する筒状部の領域（ここで、筒状部の領域とは、筒状部を画定する空間と本体又蓋体の内部空間との連通領域（筒状部の付根領域）及びその近傍の領域をも含む）にカメラユニットを配置するため、ヒンジ部の機械的強度を確保し又ヒンジ部の小型化（小径化）を行いつつ、大型（高画素）の撮像素子を採用することができる。
【００１５】
上記構成の携帯情報端末装置において、撮像素子は、本体又は蓋体内に収容されるように配置されている、構成を採用できる。
この構成によれば、第２の変更要素の下流側に配置される撮像素子が、本体又は蓋体に収容されるように配置されるため、ヒンジ部をより小型化（小径化）しつつ、より大型（高画素）の撮像素子を採用することができる。
【００１６】
上記構成の携帯情報端末装置において、第１の変更要素は、進入した被写体光を一対のヒンジ部の軸線と略平行な方向に変更させるプリズム又は反射ミラーであり、第２の変更要素は、変倍レンズ光学系を通過した被写体光を一対のヒンジ部の軸線と略直角な方向に変更させるプリズム又は反射ミラーである、構成を採用できる。
この構成によれば、例えば撮影窓等から進入した被写体光は、プリズム又は反射ミラー（第１の変更要素）によりヒンジ部の軸線と略平行な方向に進行し、続いて変倍レンズ光学系を通過し、その後プリズム又は反射ミラー（第２の変更要素）によりヒンジ部の軸線と略直角な方向に進行し、撮像素子に入射する。したがって、ヒンジ部（外径寸法）の制約を受けない大型（高画素）の撮像素子を採用することができ、又、ヒンジ部の領域に配置されるカメラユニットの構造を簡略化及び小型化でき、装置全体を薄型化あるいは小型化できる。
【００１７】
【発明の実施の形態】
以下、本発明の実施の形態について、添付図面を参照しつつ説明する。
図１ないし図８は、本発明に係るカメラユニット及び携帯情報端末装置（ここでは、携帯電話機）の一実施形態を示すものであり、図１は携帯電話機を正面側から見た外観斜視図、図２は携帯電話機を背面側から見た外観斜視図、図３は側面図及び平面図、図４はカメラユニットの模式図、図５ないし図８はカメラユニットの断面図である。
【００１８】
この携帯電話機は、図１に示すように、種々の操作釦１１が配置された本体１０と、種々の情報を表示する表示部（液晶モニター）２１及びアンテナ２２が配置された蓋体２０とにより、全体の輪郭が形成されている。蓋体２０は、本体１０に対して一対のヒンジ部２３により軸線Ｓ回りに回動自在に連結されて、使用時には蓋体２０を開け、非使用時には蓋体２０を閉じるようになっている。
【００１９】
すなわち、本体１０には、図１ないし図３に示すように、操作釦１１が配列された表面から上方に略畝状に突出する筒状部１２が形成され、筒状部１２の両端には、軸受穴（不図示）が形成されている。筒状部１２は、内部が空洞になっており、その内部にカメラユニット５０が設けられている。蓋体２０には、両端において一対のヒンジ部２３が形成されている。
【００２０】
そして、一対のヒンジ部２３は、本体１０の筒状部１２を挟み込むように配置されて、その嵌合孔２３ａ及び筒状部１２の軸受穴を挿通するように両側から支軸３０が嵌合されている。これにより、蓋体２０は本体１０に対して軸線Ｓ回りに回動自在（開閉自在）に連結されている。ここで、ヒンジ部２３及び支軸３０並びに軸受穴の相互の接触領域には、蓋体２０に設けられた表示部２１及びアンテナ２２と本体１０内に設けられた電源及び制御回路等とを電気的に接続する配線が形成されている。
【００２１】
このように、蓋体２０は、その両端に形成された一対のヒンジ部２３により本体１０に連結されているため、連結部の機械的強度が確保され、又、一対のヒンジ部２３が筒状部１２を挟むように両端に位置するため、安定した開閉動作が可能となる。
本体１０の一部をなす筒状部１２は、お互いに最も離隔した一対のヒンジ部２３の間に位置するように形成されているため、小径化を図りつつも比較的大きな空間部を画定することができ、比較的全長の長い光学系をもつカメラユニットであっても筒状部１２の内部に容易に配置される。また、筒状部１２には、図１に示すように、後述するカメラユニット５０のレンズ（撮影窓）５１ａを露出させる開口１２ａ、操作部５８ｃを突出させる長孔１２ｂが形成されている。
【００２２】
カメラユニット５０は、図４ないし図８に示すように、後述する構成部品を保持するユニットケース５１、レンズ光学系の一部をなすと共に撮影窓として機能するレンズ５１ａ、第１の変更要素としてのプリズム５２、変倍レンズ光学系としての第１レンズ群５３及び第２レンズ群５４、第１レンズ群５３及び第２レンズ群５４を光軸方向Ｌ２に往復動自在に案内するガイドシャフト５５，５６、第１レンズ群５３及び第２レンズ群５４の回転を規制する回転規制シャフト５７、第１レンズ群５３及び第２レンズ群５４を光軸方向Ｌ２の所定の位置にそれぞれ移動させるカム部材５８、第２の変更要素としてのプリズム５９、撮像素子としてのＣＣＤ６０等により形成されている。
【００２３】
第１の変更要素としてのプリズム５２は、三角柱をなす三角プリズムであり、被写体光は、その入射光線Ｌ１（中心光線）が直角な光軸方向Ｌ２（中心光線）に変更され、第１レンズ群５３及び第２レンズ群５４に向けて進行する。すなわち、撮影方向から進入した被写体光の進行方向を、略直角な方向でかつ一対のヒンジ部２３の軸線Ｓと略平行な方向に変更させるものである。ここで、略直角とは、９０度及びその近傍の角度範囲を含むものである。
【００２４】
カム部材５８は、図６（ａ），（ｂ）に示すように、断面が円弧状をなすように形成され、その内周面には、第１レンズ群５３にカム作用を及ぼす第１カム溝５８ａと第２レンズ群５４にカム作用を及ぼす第２カム溝５８ｂとが形成され、その外周面には、手動操作を行うための突出した操作部５８ｃが形成されている。
そして、操作部５８ｃは、図１及び図５に示すように、ユニットケース５１の長孔５１ｂ及び筒状部１２の長孔１２ｂから外部に突出している。したがって、操作者が、手動により操作部５８ｃを揺動させることで、カム部材５８が所定の角度範囲を往復動して第１レンズ群５３及び第２レンズ群５４にカム作用を及ぼし、広角〜望遠の範囲で撮影を行うための変倍調整が行われる。
【００２５】
第１レンズ群５３は、図５、図６、図７（ａ）、図８に示すように、略矩形の輪郭をなす両凹レンズＧ１、両凹レンズＧ１を保持するレンズ枠５３ａとにより形成されている。レンズ枠５３ａは、ガイドシャフト５５に外嵌される連結部５３ｂ、回転規制シャフト５７に係合されるＵ字部５３ｃ、カム部材５８の第１カム溝５８ａに挿入されて案内される第１フォロワ５３ｄ等を備えている。
【００２６】
第２レンズ群５４は、図５、図６、図７（ｂ）、図８に示すように、略矩形の輪郭をなす両凸レンズＧ２、両凸レンズＧ２を保持するレンズ枠５４ａとにより形成されている。レンズ枠５４ａは、ガイドシャフト５６に外嵌される連結部５４ｂ、回転規制シャフト５７に係合されるＵ字部５４ｃ、カム部材５８の第２カム溝５８ｂに挿入されて案内される第２フォロワ５４ｄ等を備えている。
【００２７】
第２の変更要素としてのプリズム５９は、三角柱をなす三角プリズムであり、被写体光は、その光軸方向Ｌ２（中心光線）が直角な光軸方向Ｌ３（中心光線）に変更され、ＣＣＤ６０の撮像面に入射する。すなわち、一対のヒンジ部２３の軸線Ｓと略平行な方向に沿って、変倍レンズ光学系５３，５４を通過した被写体光の進行方向（光軸方向Ｌ２）を、略直角な方向（光軸方向Ｌ３）に変更させるものである。ここで、略直角とは、９０度及びその近傍の角度範囲を含むものである。
【００２８】
撮像素子としてのＣＣＤ６０は、図５及び図６に示すように、プリズム５９の下流側に配置されて、ユニットケース５１に固定されている。ここで、プリズム５９とＣＣＤ６０と間には、ローパスフィルタ６１が配置され、又、ＣＣＤ６０の前面にはフェースプレート（不図示）が配置されている。さらに、ＣＣＤ６０は、回路基板（不図示）に連結されている。
【００２９】
上記のカメラユニット５０においては、被写体光の進行方向に向かって（上流側から下流側に向かって）、レンズ５１ａ、プリズム５２（第１の変更要素）、変倍レンズ光学系５３，５４、プリズム５９（第２の変更要素）、ＣＣＤ６０（撮像素子）が順次に配置されている。さらに、ＣＣＤ６０は、図３及び図４に示すように、筒状部１２の内部空間に対面し、かつ、ヒンジ部２３の軸線Ｓから逸脱した本体１０内に収容されるように配置されている。
【００３０】
したがって、撮影窓（レンズ５１ａ）から進入した被写体光は、プリズム５２（第１の変更要素）によりその進行方向が光軸方向Ｌ１から光軸方向Ｌ２に変更され、続いて、変倍レンズ光学系５３，５４を通過し、その後、プリズム５９（第２の変更要素）により再び進行方向が光軸方向Ｌ２から光軸方向Ｌ３に変更されて、ＣＣＤ６０の撮像面に入射する。
【００３１】
すなわち、プリズム５２を通過した被写体光の進行方向Ｌ２にＣＣＤ６０を対面させて配置するのではなく、プリズム５２を通過した被写体光の進行方向Ｌ２（ヒンジ部２３の軸線Ｓ）から逸脱した方向に対面させるように、ＣＣＤ６０をの撮像面を本体１０の表面と略平行にして配置している。これにより、ＣＣＤ６０は筒状部１２の外径寸法に制約されないため、筒状部１２の小径化等を図りつつ、大型（高画素）のＣＣＤ６０を採用することができる。また、ＣＣＤ６０は本体１０内に位置するように配置されるため、その回路基板と本体１０内の制御回路等との電気的配線を容易に行うことができる。
【００３２】
尚、上記の実施形態においては、プリズム５２に入射する光軸方向Ｌ１とプリズム５９から射出される光軸方向Ｌ３とは、同一平面内に位置するようになっているが、例えば、被写体光が入射する光軸方向Ｌ１を若干本体１０側に傾斜させて、光軸方向Ｌ１と光軸方向Ｌ３とをねじれの位置に配置してもよい。
【００３３】
次に、上記携帯電話機の操作について説明する。先ず、蓋体２０が閉じられた状態から、蓋体２０を図１に示すように開くと、筒状部１２に配置された撮影窓（レンズ）５１ａ、操作部５８ｃが露出する。
この状態で、操作釦１１の一つを操作してカメラユニット５０（ＣＣＤ６０）のスイッチをＯＮにすると、撮影窓５１ａの前方にある操作者等からの被写体光が、撮影窓５１ａから入射し、プリズム５２によりその進行方向が光軸方向Ｌ１から光軸方向Ｌ２に変更される。
【００３４】
続いて、被写体光は、光軸方向Ｌ２に沿って第１レンズ群５３及び第２レンズ群５４を通過し、プリズム５９に至る。その後、被写体光は、プリズム５９によりその進行方向が光軸方向Ｌ２から光軸方向Ｌ３に変更され、下流側に配置されたＣＣＤ６０の撮像面に入射する。
【００３５】
そして、ＣＣＤ６０により撮影された画像は、所定の画像処理がなされ、表示部（液晶モニター）２１に表示される。ここで、操作者が、手動により操作部５８ｃを移動させてカム部材５８の位置を調整し、図５に示すように第１レンズ群５３及び第２レンズ群５４をお互いに離隔した位置に位置付けると、被写体の広角撮影が行われて表示部２１に広角画像（ワイド画像）が表示され、一方、図６に示すように第１レンズ群５３及び第２レンズ群５４をお互いに近接した位置に位置付けると、望遠撮影が行われて表示部２１に望遠画像（ズーム画像）が表示される。
【００３６】
したがって、操作者は、表示部２１でこれらの撮影画像を確認しながら撮影倍率を適宜調整し、所望倍率の画像に調整できた時点で、シャッタ釦（操作釦１１の一つ）を押してシャッタ操作を行い、記憶部に撮影画像を保存し、あるいは、送信操作を行って通信相手に撮影画像を送信することができる。
【００３７】
上記のように、変倍レンズ光学系５３，５４による変倍調整は操作者の手動操作により行われるため、カメラユニット５０は、モータ等により変倍駆動する場合に比べて、電力の消費もなく、構造も簡略化され、全体として装置が小型化される。特に、変倍光学系を含むカメラユニット５０が、一対のヒンジ部２３の間に位置する本体１０の筒状部１２に配置され、かつ、ＣＣＤ６０が軸線Ｓから逸脱した筒状部１２の領域で本体１０の内部領域に配置（収容）されているため、筒状部１２の小径化を図りつつもカメラユニット５０を容易に配置することができ、又、高画素の（大きい）ＣＣＤ６０を採用することができる。
【００３８】
図９は、携帯情報端末装置（携帯電話機）の他の実施形態を示すものであり、前述の実施形態と同一の構成については、同一の符号を付してその説明を省略する。この携帯電話機では、筒状部１２の領域に配置されるＣＣＤ６０´を、本体１０の表面に対して傾斜させて配置したものである。
【００３９】
すなわち、カメラユニット５０´の輪郭を画定するユニットケース５１´の形状を一部変更して、ＣＣＤ６０´を傾斜させた状態で保持している。したがって、ＣＣＤ６０´は、本体１０の側壁１０ａから離れた位置に配置されるため、より大きいＣＣＤ６０´を採用することができる。
ここでは、撮影窓（レンズ５１ａ）から入射する被写体光の光軸方向Ｌ１とプリズム５９により変更された光軸方向Ｌ３とは、同一平面上になく、ねじれの位置関係にある。
【００４０】
上記実施形態においては、カメラユニット５０を配置する領域として、本体１０の一部をなす筒状部１２を示したが、これに限定されるものではなく、逆に本体に一対のヒンジ部を設けかつ蓋体に筒状部を設け、この蓋体の一部をなす筒状部にカメラユニット５０を配置する構成を採用してもよい。また、筒状部１２に限らず、本体１０又は蓋体２０の内部空間に直接配置してもよく、この場合、本体１０又は蓋体２０の厚みを薄くでき、全体として装置を薄型化できる。
【００４１】
上記実施形態においては、被写体光の進行方向を変更させる変更要素として、プリズム５２，５９を示したが、これに限定されるものではなく、反射ミラー等その他の変更要素を適用することができる。
【００４２】
上記実施形態においては、携帯情報端末装置として携帯電話機を示したが、これに限定されるものではなく、携帯型パーソナルコンピュータ等において本発明に係る構成を採用してもよい。
上記実施形態においては、光学系として第１レンズ群５３及び第２レンズ群５４を含む変倍レンズ光学系を示したが、これ以上のレンズ群を含む変倍レンズ光学系であってもよく、又、比較的に光軸の長い単焦点の光学系であっても、本発明に係る配置構造を採用できる。
【００４３】
【発明の効果】
以上述べたように、本発明のカメラユニット及び携帯情報端末装置によれば、進入した被写体光の進行方向を変更する第１の変更要素の下流側において、被写体光の進行方向を変更する第２の変更要素を設け、第２の変更要素の下流側に撮像素子を配置したことにより、第１の変更要素を通過した被写体光の進行方向に撮像素子を対面させる配置構成を採用する場合に比べて、カメラユニット又は携帯情報端末装置の外輪郭を形成する部分の小径化あるいは薄型化を行いつつ、大型（高画素）の撮像素子を採用することができる。
特に、カメラユニットが携帯情報端末装置の連結部（ヒンジ部の領域）に配置される場合は、その小径化を行いつつ、大型（高画素）の撮像素子を採用することができる。
【図面の簡単な説明】
【図１】本発明に係る携帯情報端末装置の一実施形態を示すものであり、正面側から見た外観斜視図である。
【図２】本発明に係る携帯情報端末装置の一実施形態を示すものであり、背面側から見た外観斜視図である。
【図３】本発明に係る携帯情報端末装置の一実施形態を示すものであり、（ａ）は蓋体を開いた状態での部分側面図、（ｂ）は蓋体を開いた状態での部分正面図である。
【図４】本発明に係るカメラユニットの概略構成を示す模式図である。
【図５】変倍レンズ光学系が広角撮影位置にある状態を示すカメラユニットの断面図である。
【図６】変倍レンズ光学系が望遠撮影位置にある状態を示すカメラユニットの断面図である。
【図７】（ａ），（ｂ）は光軸を横切る面でのカメラユニットの断面図である。
【図８】被写体光の進入方向から見たカメラユニットの断面図である。
【図９】本発明に係る携帯情報端末装置の他の実施形態を示すものであり、（ａ）は蓋体を開いた状態での部分側面図、（ｂ）は蓋体を開いた状態での部分正面図である。
【図１０】従来の携帯電話機に搭載されたカメラユニットの概略構成を示したものであり、（ａ）は断面図、（ｂ）は側面図である。
【図１１】従来の携帯電話機に搭載された他のカメラユニットの概略構成を示した断面図である。
【符号の説明】
１０  本体
１１  操作釦
１２  筒状部（連結部）
１２ａ  開口
１２ｂ  長孔
２０  蓋体
２１  表示部
２２  アンテナ
２３  一対のヒンジ部（連結部）
３０  支軸
５０，５０´  カメラユニット
５１，５１´  ユニットケース
５１ａ  レンズ（レンズ光学系）
５２  プリズム（第１の変更要素）
５３  第１レンズ群（変倍レンズ光学系）
５４  第２レンズ群（変倍レンズ光学系）
５８ｃ  操作部
６０，６０´  ＣＣＤ（撮像素子）
Ｓ  ヒンジ部の軸線
Ｌ１  被写体光の入射光軸方向
Ｌ２  第１の変更要素により変更された被写体光の光軸方向
Ｌ３  第２の変更要素により変更された被写体光の光軸方向
【図１】
2004247887.tif 000003
【図２】
2004247887.tif 000004
【図３】
2004247887.tif 000005
【図４】
2004247887.tif 000006
【図５】
2004247887.tif 000007
【図６】
2004247887.tif 000008
【図７】
2004247887.tif 000009
【図８】
2004247887.tif 000010
【図９】
2004247887.tif 000011
【図１０】
2004247887.tif 000012
【図１１】
2004247887.tif 000013